(57)【要約】  【課題】少ない工数で上下方向位置を変更可能なランバーサポートを有する椅子を簡単に製造できるようにする  【解決手段】変形特性を調整するための複数の凹凸要素たる孔６１ｄを設けてなる背板６１の前面にランバーサポート７を上下方向の位置を変更可能に装着することが可能な椅子１００に、前記背板６１の複数の孔６１ｄと、前記複数の孔６１ｄのいずれかに選択的に係り合うことが可能にランバーサポート７に設けた節度要素たる凸部７１ｄ１とを利用して前記ランバーサポート７の位置決めを行う節度機構Ｃを設ける。  【選択図】図１２
2010081974.tif 000002
【特許請求の範囲】
【請求項１】
変形特性を調整するための複数の凹凸要素を設けてなる背板の前面にランバーサポートを上下方向の位置を変更可能に装着することが可能な椅子であって、前記背板の複数の凹凸要素と、前記複数の凹凸要素のいずれかに選択的に係り合うことが可能にランバーサポートに設けた節度要素とを利用して前記ランバーサポートの位置決めを行う節度機構を有することを特徴とする椅子。
【請求項２】
前記背板が、前記凹凸要素たる多数の孔を有するメッシュ領域を備えているとともに、このメッシュ領域に設けた前記孔と、前記孔のいずれかに選択的に係り合い可能にランバーサポートに設けた前記節度要素たる凸部とを利用して前記節度機構を形成した請求項１記載の椅子。
【請求項３】
前記背板が、前記メッシュ領域と、前記凹凸要素たる凹部を有するシェル領域とを備えているとともに、前記孔又は凹部と、前記孔又は凹部のいずれかに選択的に係り合い可能にランバーサポートに設けた前記節度要素たる凸部とを利用して前記節度機構を形成した請求項２記載の椅子。
【請求項４】
前記背板が、複数の薄肉領域と複数の厚肉領域とを交互に配してなり、これら薄肉領域と厚肉領域との何れかを前記凹凸要素としているとともに、前記凹凸要素と、いずれかの凹凸要素に選択的に係り合うことが可能にランバーサポートに設けた節度要素とを利用して前記節度機構を形成した請求項１記載の椅子。
【請求項５】
前記厚肉領域がベルト状をなすものである請求項４記載の椅子。
【請求項６】
前記厚肉領域が前記薄肉領域を介して連結されたものである請求項４又は５記載の椅子。
【請求項７】
前記薄肉領域が、多数の孔を有するメッシュ領域であり、前記厚肉領域が、前記メッシュ領域間に設けたシェル領域である請求項４、５又は６記載の椅子。
【請求項８】
前記ランバーサポートを前記背板に対して上下移動可能に案内する案内機構を設けている請求項１、２、３、４、５、６又は７記載の椅子。
【請求項９】
前記案内機構を、前記背板の前面に設けた上下案内部材と、この上下案内部材に係り合い得るようにランバーサポートの背面に設けた被案内部材とを利用して形成している請求項８記載の椅子。
【請求項１０】
前記案内機構を、前記背板の側端縁と、前記ランバーサポートの側部に前記背板の側端縁に係わり合い可能に設けた折り返し片とを利用して形成している請求項８記載の椅子。
【請求項１１】
前記案内機構を、前記背板に設けたスリットと、前記ランバーサポートに前記スリットに係わり合い可能に設けた折り返し片とを利用して形成している請求項８記載の椅子。
【請求項１２】
前記ランバーサポートに弾性片を背板方向に弾性変位可能に設け、その弾性片に前記節度要素たる凸部を設けている請求項１、２、３、４、５、６、７、８、９、１０又は１１記載の椅子。
【請求項１３】
前記ランバーサポートに設けた折り返し片の内面に前記節度要素たる凸部又は凹部を設けている請求項１０又は１１記載の椅子。
【発明の詳細な説明】
【技術分野】
【０００１】
本発明は、着座者の腰部をサポートすべくランバーサポートを設けた椅子に関する。
【背景技術】
【０００２】
従来、着座者の腰部をサポートすべくランバーサポートを設けた椅子が種々知られている。このような椅子の一例として、例えば、左右に延伸するランバーサポートを設けているとともに、このランバーサポートの上下方向の位置を変更可能にすべく、背板の左右両端にスリットを設け、このスリット内部に取付凹部を上下方向に離間させて複数設けているとともに、前記スリットにランバーサポートの左右両取付端部を挿し通し、前記取付凹部に前記ランバーサポートの左右両取付端部に設けた突起を係り合わせることにより、背板にランバーサポートを支持する態様のものが考えられている（例えば、特許文献１を参照）。
【特許文献１】特開２００８−３６４公報
【発明の開示】
【発明が解決しようとする課題】
【０００３】
ところで、特許文献１記載の構成の椅子においては、背板をメッシュ状に形成している一方、メッシュを形成するための孔とは別に前記取付凹部を形成しているので、このような椅子の製造の工数が多くなることがある。また、ランバーサポートを設けない椅子においては、上述した背板の左右両端のスリットや取付凹部は必要でないので、ランバーサポートを設けるために背板の設計変更を必要とし、さらに専用の製造ラインを設ける必要があるという不具合が存在する。
【０００４】
本発明はこのような課題を解決すること、すなわち少ない工数で上下方向位置を変更可能なランバーサポートを有する椅子を簡単に製造できるようにすることを目的とする。
【課題を解決するための手段】
【０００５】
すなわち本発明に係る椅子は、前記課題を解決すべく、変形特性を調整するための複数の凹凸要素を設けてなる背板の前面にランバーサポートを上下方向の位置を変更可能に装着することが可能な椅子であって、前記背板の複数の凹凸要素と、前記複数の凹凸要素のいずれかに選択的に係り合うことが可能にランバーサポートに設けた節度要素とを利用して前記ランバーサポートの位置決めを行う節度機構を有することを特徴とする。
【０００６】
このようなものであれば、背板に変形特性を調整するために設けた複数の凹凸要素をそのまま利用し、ランバーサポート側に前記複数の凹凸要素のいずれかに選択的に係り合うことが可能な節度要素を設けることにより前記ランバーサポートの位置決めを行う節度機構を形成できるので、背板に対する設計変更を行うことなく上下位置を変更可能にランバーサポートを設けることができる。
【０００７】
このような椅子を容易に形成できる態様の一例として、前記背板が、前記凹凸要素たる多数の孔を有するメッシュ領域を備えているとともに、このメッシュ領域に設けた前記孔と、前記孔のいずれかに選択的に係り合い可能にランバーサポートに設けた前記節度要素たる凸部とを利用して前記節度機構を形成したものが挙げられる。
【０００８】
さらに、前記背板が、前記メッシュ領域と、前記凹凸要素たる凹部を有するシェル領域とを備えているとともに、前記孔又は凹部と、前記孔又は凹部のいずれかに選択的に係り合い可能にランバーサポートに設けた前記節度要素たる凸部とを利用して前記節度機構を形成したものであれば、シェル領域により背板の強度を確保しつつ、前記メッシュ領域の孔のみならず、前記シェル領域に形成した前記凹部をも利用して、よりきめ細かくランバーサポートの位置決めを行うことができる。
【０００９】
また、本発明の主要な課題を解決することができる構成の椅子を実現できる態様の他の一例として、前記背板が、複数の薄肉領域と複数の厚肉領域とを交互に配してなり、これら薄肉領域と厚肉領域との何れかを前記凹凸要素としているとともに、前記凹凸要素と、いずれかの凹凸要素に選択的に係り合うことが可能にランバーサポートに設けた節度要素とを利用して前記節度機構を形成したものが挙げられる。
【００１０】
特に、前記厚肉領域がベルト状をなすものであれば、この厚肉領域の延伸方向への作用に対する剛性は確保しつつ、背板を厚肉領域の延伸方向と垂直な方向へ屈曲させやすくできる。なお、「ベルト状をなす」とは、椅子の幅方向に延伸するものであれば、直線状であってもよく、また、波線状や円弧状等、他の形状であってもよい。
【００１１】
また、前記厚肉領域が前記薄肉領域を介して連結されたものであれば、隣接する厚肉領域間には薄肉領域のみが存在することとなるので、この点からも背板を厚肉領域の延伸方向と垂直な方向へ屈曲させやすくできる。
【００１２】
さらに、前記薄肉領域が、多数の孔を有するメッシュ領域であり、前記厚肉領域が、前記メッシュ領域間に設けたシェル領域であれば、前記薄肉領域たるメッシュ領域を形成することにより背板を容易に変形可能にしつつ、前記シェル領域により背板の強度を確保することができる。
【００１３】
一方、ランバーサポートの背板に対する移動の方向を案内できるようにするには、前記ランバーサポートと前記背板との間に、ランバーサポートの移動方向を案内する案内機構を設けているものが望ましい。
【００１４】
前段で述べたような案内機構を簡単な構成で実現できる構成の一例として、前記案内機構を、前記背板の前面に設けた上下案内部材と、この上下案内部材に係り合い得るようにランバーサポートの背面に設けた被案内部材とを利用して形成しているものが挙げられる。
【００１５】
また、前記案内機構を簡単な構成で実現できる構成の他の一例として、前記案内機構を、前記背板の側端縁と、前記ランバーサポートの側部に前記背板の側端縁に係わり合い可能に設けた折り返し片とを利用して形成しているものが挙げられる。
【００１６】
一方、前記案内機構を簡単な構成で実現できる構成のさらに他の一例として、前記案内機構を、前記背板に設けたスリットと、前記ランバーサポートに前記スリットに係わり合い可能に設けた折り返し片とを利用して形成しているものが挙げられる。
【００１７】
さらに、上述したような節度機構を容易に実現するためのランバーサポートの構成として、前記ランバーサポートに弾性片を背板方向に弾性変位可能に設け、その弾性片に前記節度要素たる凸部を設けているものが挙げられる。
【００１８】
一方、前記背板の側端縁又は背板に設けたスリットと、前記ランバーサポートの側部に前記背板の側端縁又はスリットに係わり合い可能に設けた折り返し片とを利用して案内機構を形成した場合において上述したような節度機構を容易に実現するための好適な構成として、前記ランバーサポートに設けた折り返し片の内面に前記節度要素たる凸部又は凹部を設けているものが挙げられる。
【発明の効果】
【００１９】
本発明に係る椅子の構成によれば、背板に変形特性を調整するために設けた複数の凹凸要素をそのまま利用し、ランバーサポート側に前記複数の凹凸要素のいずれかに選択的に係り合うことが可能な節度要素を設けることにより前記ランバーサポートの位置決めを行う節度機構を形成できるので、製造工数を増加させることなく、また、背板側の設計変更を行うことなく、上下方向位置を変更可能なランバーサポートを有する椅子を実現できる。
【発明を実施するための最良の形態】
【００２０】
以下、本発明をシンクロチルト式の事務用回転椅子１００に適用した場合の一実施形態につき、図面を参照して説明する。
【００２１】
この椅子１００は、図１及び図２に示すように、脚１と、この脚１の上部に支持され水平旋回可能な支持基部２と、この支持基部２の上に配された座受３と、この座受３に保持された座４と、前記支持基部２に後傾動作可能に設けられた背支持体５と、この背支持体５に取り付けられた背凭れ６とを具備してなる。
【００２２】
前記脚１は、脚ベース１１と、脚ベース１１の中心部に設けられた脚支柱１２とを備えてなる。前記脚ベース１１は、中心部に設けたハブ１１ａから脚羽根１１ｂを放射状に突出させて設けたもので、前記脚羽根１１ｂ先端にキャスター１１ｃをそれぞれ設けている。前記脚支柱１２は、ガススプリングを主体に構成されたもので、上下方向に弾性的に伸縮し、所望位置でロックすることができるようにした通常のものである。
【００２３】
前記支持基部２は、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる図示しない傾動反力発生機構とを具備してなる。前記傾動反力発生機構は、コイルスプリングやガススプリング等を用いた通常のものであるため、説明を省略する。
【００２４】
前記座受３は、前記座４を保持するシェル状のもので、その前端側が前記支持基部２に前後動可能に取り付けられているとともに、その後端側が前記背支持体５の基端部に支持されている。
【００２５】
前記背支持体５は、前記支持基部２の主軸２２に後傾動作可能に支持された背支桿５１と、この背支桿５１の上端部に取り付けられた弾性横桿５２とを具備してなる。前記背支桿５１は、基端部を前記支持基部２に取り付けた下部背フレーム５１ｂと、この下部背フレーム５１ｂの先端に結合した上部背フレーム５１ａとを備えている。前記下部背フレーム５１ｂは、金属製のもので、その外側がカバー５３により覆われている。そのカバー５３の外面は、前記上部背フレーム５１ａの外面に連続するように位置づけられている。前記上部背フレーム５１ａは、合成樹脂により一体成形されたもので、その上部を二股に分岐させて分岐桿部５１ａ２を形成している。この分岐桿部５１ａ２は、略直線状に起立している。前記弾性横桿５２は、中間部二箇所を前記背支桿５１の上端部、さらに具体的には各分岐桿部５１ａ２の上端部に枢軸たる図示しない取付軸を介して支持させた板ばね状のもので、その両端部で前記背凭れ６を支えている。
【００２６】
前記背凭れ６は、背板６１を主体に構成されたものである。前記背板６１は、図３及び図４に示すように、背板本体６１ａと、この背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレーム５１ｂに取り付けている。
【００２７】
前記背板本体６１ａは、合成樹脂により一体形成で作られるもので、孔６１ｄを有しない周縁枠部６１ａ１と、この周縁枠部６１ａ１に囲まれた中間面部６１ａ２とを具備してなる。
【００２８】
以下、図５ないし図８を参照して説明する。ここで図５は、図３及び図４におけるＡ−Ａ線断面図、具体的には背板６１をその中心において垂直に切断した断面図を表す。図６は、図３及び図４におけるＢ−Ｂ線断面図、具体的には背板６１を樹脂メッシュ領域Ｍにおいて水平に切断した断面図を表す。さらに図７は、図３及び図４におけるＣ−Ｃ線断面図、具体的には背板６１を樹脂シェル領域Ｓにおいて水平に切断した断面図を表す。また、図８は背板６１前面における部分拡大図を表す。
【００２９】
前記周縁枠部６１ａ１は、前記背板本体６１ａの上辺、左右両側辺及び下辺に沿って形成されたもので、正面視環状をなしている。この周縁枠部６１ａ１に、前記下端取付部６１ｂ及び前記側端取付部６１ｃが一体に設けられている。すなわち、これらの下端取付部６１ｂ及び側端取付部６１ｃについても前記背板本体６１ａと一緒に合成樹脂により一体成形で作られるものである。
【００３０】
前記中間面部６１ａ２は、前記周縁枠部６１ａ１に上下左右を囲まれた正面視縦長のほぼ矩形であり、その左右の側辺が平行となっている。また、複数の孔６１ｄを設けた樹脂メッシュ領域Ｍと、孔６１ｄを有しない樹脂シェル領域Ｓとを備えている。その樹脂メッシュ領域Ｍと樹脂シェル領域Ｓとは交互に配置されている。ここで、本実施形態では、背板６１の前面が最も前方に突出している部位である迫出部分６１ｘに、バンド状をなす樹脂シェル領域Ｓを配している。
【００３１】
前記中間面部６１ａ２の樹脂シェル領域Ｓは、水平なベルト状のもので前記周縁枠部６１ａ１の対向部位を連結するように配されている。ベルト状をなす前記樹脂シェル領域Ｓは、上下方向に一定の間隔を開けて複数本平行に配されており、これらのうち二本の樹脂シェル領域Ｓ間、及び、樹脂シェル領域Ｓと周縁枠部６１ａ１との間に前記樹脂メッシュ領域Ｍがそれぞれ形成されている。
【００３２】
前記樹脂メッシュ領域Ｍは、前記樹脂シェル領域Ｓよりも薄肉に形成されており、複数の円形の孔６１ｄが貫設されている。また、前記樹脂シェル領域Ｓの前面に、前記樹脂メッシュ領域Ｍの孔６１ｄの形状に対応した複数の円形をなす有底の凹部６１ｅを形成してある。前記樹脂メッシュ領域Ｍに設けられた複数の孔６１ｄと前記樹脂シェル領域Ｓに設けられた複数の凹部６１ｅは、一定の規則性をもって配置されている。
【００３３】
また、前記樹脂シェル領域Ｓの前面と前記樹脂メッシュ領域Ｍの前面とは面一に形成されている。一方、前記樹脂メッシュ領域Ｍの背面は、前記樹脂シェル領域Ｓの背面よりも凹んで設けられている。
【００３４】
前記周縁枠部６１ａ１の前面と前記中間面部６１ａ２との境界には、段部６１ａ３が形成されている。換言すれば、前記段部６１ａ３を境にして、前記中間面部６１ａ２が前記周縁枠部６１ａ１よりも前方にせり出すような形態をなしている。
【００３５】
また、本実施形態では、この背板６１の前方に外装材６２を取り付け可能にしている。この外装材６２は、背凭れ６の前面を形成する張地及びこの張地と背板との間に配されるクッションを有する外装材本体６２ａと、この外装材６２を背板６１の係止縁部すなわち上縁部に係わり合わせるための上縁取付部６２ｂと、この外装材を背板の下縁部に係わり合わせるための下縁取付部６２ｃとを具備する。なお、図１及び図２中では、この外装材６２は想像線で示している。また、図９には、この外装材６２を取り外した状態の斜視図を示している。
【００３６】
また、この椅子は、前記図９、及び図１０〜図１２に示すように、前記背板６１の前面にランバーサポート７を着脱可能に装着可能である。
【００３７】
このランバーサポート７は、分解斜視図である図４に示すように、また、このランバーサポート７の取付部位の横断面図である図５に示すように、着座者の腰部をサポートするためのランバーサポート本体７１と、前記背板６の前面に着脱可能に装着され前記ランバーサポート本体７１をその向きが背板６１の前面の向きに同調しつつ上下移動し得るように案内する上下案内部材７２とを具備する。
【００３８】
具体的には、前記ランバーサポート本体７１は、インナープレート７１ａと、このインナープレート７１ａの前面に装着したサポートパッド７１ｂとを具備する。前記インナープレート７１ａには、その左右両端部に、前記背凭れ６の外装材６２の左右両側端より外側に延伸する取手７１ａ１を設けている。そして、これら左右の取手７１ａ１間の部位の前方に前記サポートパッド７１ｂを取り付けるようにしている。
【００３９】
一方、前記上下案内部材７２は、背板６１の前面が最も前方に突出している迫出部分６１ｘを含みその上下に亘って装着される左右１対の部材である。この上下案内部材７２は、背板６１の孔６１ｄのいずれかを選択的に利用して前記背板６１に装着するようにしている。さらに、前記上下案内部材７２は、前記背板６１の前面に添接し得る程度の可撓性を備えた例えば樹脂製の部材である。
【００４０】
より具体的には、この上下案内部材７２は、背板６１の前面から前方に突出する起立部７２ａと、この起立部７２ａの突出端から背板６１の幅方向中央に向かう側と反対側に延伸する抜止爪部７２ｂとを具備する。また、この上下案内部材７２の起立部７２ａの背面には雌ねじ穴７２ａ１を上下に離間させて複数箇所、具体的には２箇所に設けている。そして、この上下案内部材７２を背凭れ６の前面に沿った形状にした状態で、前記雌ねじ穴７２ａ１と背板６１の孔６１ｄとを重合させ、背板６１の後方から取付具たる雄ねじ部材７２ｃを前記雌ねじ孔７２ａ１にねじ止めすることによりこの上下案内部材７２を背板６１に取り付けるようにしている。ここで、本実施形態では、前記背板６１の背面と雄ねじ部材７２ｃの頭部との間に、前記雄ねじ部材７２ｄを挿し通すためのねじ通過孔７２ｄ１を有する台座７２ｄを配している。
【００４１】
一方、前記ランバーサポート本体７１は、その背面、より具体的には前記インナープレート７１ａの背面に、前記上下案内部材７２に係り合い左右に対をなして設けた被案内部材たる被案内爪部７１ｃを具備する。この被案内爪部７１ｃは、ランバーサポート本体７１の背面から後方に突出する起立部７１ｃ１と、この起立部７１ｃ１の突出端からランバーサポート７１の幅方向中央に向かう側に延伸する抜止部７１ｃ２とを具備する。そして、この被案内爪部７１ｃの抜止部７１ｃ２が前記上下案内部材７２の抜止爪部７２ｂに係り合うことにより、ランバーサポート本体７１が前記上下案内部材７２を介して背板６１に上下移動可能に保持される。なお、本実施形態では、この被案内爪部７１ｃは、上下方向に離間させて複数対、具体的には２対設けている。
【００４２】
しかして本実施形態では、前記背板６１の樹脂メッシュ領域Ｍに形成した複数の凹凸要素たる孔６１ｄと、前記複数の孔６１ｄのいずれかに選択的に係り合うことが可能にランバーサポート７に設けた節度要素たる凸部７１ｄ１とを利用して前記ランバーサポートの位置決めを行う節度機構Ｃを有する。
【００４３】
また、本実施形態では、前記ランバーサポート７に設けた凸部７１ｄ１は、前記背板６１の樹脂メッシュ領域Ｍの孔６１ｄだけでなく、樹脂シェル領域Ｓに形成した凹部６１ｅにも係り合うことが可能である。
【００４４】
さらに詳述すると、図５及び図６に示すように、前記ランバーサポート本体７１の両側部に、後方すなわち背板６１に向かう方向に突出する弾性片７１ｄを設けている。そして、この弾性片７１ｄの先端近傍に、後方に突出させて前記凸部７１ｄ１を設けている。そして、この凸部７１ｄ１と前記孔６１ｄ又は凹部６１ｅのいずれかとを選択的に係り合わせることにより、ランバーサポート７の背板６１に対する位置決めを行うようにしている。
【００４５】
前記ランバーサポート７は、以下のようにして背板６１に取り付けられる。
【００４６】
まず、上下案内部材７２を、図４に示すように、背板６１の前面の前記迫出部分６１ｘを挟んで上下に跨る部位に沿わせて配置する。次いで、この上下案内部材７２の背面の全体が背板６１の前面に略又は完全に接触するように上下案内部材７２を変形させる。それから、この上下案内部材７２の雌ねじ孔７２ａ１と、背板６１の孔６１ｄのいずれかと、台座７２ｄのねじ通過孔７２ｄ１とを重合させ、雄ねじ部材７２ｃを背板６１の後方から前記雌ねじ孔７２ａ１にねじ止めすることによりこの上下案内部材７２を背板６１の前面に取り付ける。そして、この上下案内部材７２の抜止爪部７２ｂと前記ランバーサポート本体７１背面の被案内爪部７１ｃの抜止部７１ｃ２とを係わり合わせる。すなわち、前記上下案内部材７２の抜止爪部７２ｂと背板６１の前面との間に前記ランバーサポート本体７１の被案内爪部７１ｃの抜止部７１ｃ２を位置させる。
【００４７】
このランバーサポート本体７１の上下位置の変更は、前記取手７１ａ１を把持した状態でランバーサポート本体７１を上下移動させることにより行う。その際、前記ランバーサポート本体７１を左右に移動しようとすると、前記被案内爪部７１ｃの抜止部７１ｃ２が前記上下案内部材７２に衝き当たるので、このランバーサポート本体７１の左右位置への移動が規制され、ランバーサポート本体７１の移動方向が案内される。
【００４８】
また、ランバーサポート本体７１に対して上下方向へ向かう作用が加えられると、まず前記凸部７１ｄ１と前記孔６１ｄ又は前記凹部６１ｅの開口縁とが衝き当たり、操作力の一部が弾性片７１ｄを背板６１から離間させる力に変換される。すると、この弾性片７１ｄに設けた前記凸部７１ｄ１と前記孔６１ｄ又は前記凹部６１ｅと係り合った状態が解除される。また、弾性片７１ｄに反力が蓄積される。さらにランバーサポート７に対して上下方向へ向かう作用が加えられ、前記凸部７１ｄ１の高さ位置と、隣接する孔６１ｄ又は凹部６１ｅの高さ位置とが一致すると、前記弾性片７１ｄが蓄積された反力により背板６１に向かう方向に移動し、隣接する孔６１ｄ又は凹部６１ｅに係り合うことにより、ランバーサポート７が背板６１に対して位置決めされる。
【００４９】
以上に述べたように、本実施形態に係る椅子１００の構成によれば、背板６１に変形特性を調整するために設けた複数の孔６１ｄ、及び前記凹部６１ｅをそのまま利用し、ランバーサポート７側に前記複数の孔６１ｄ又は凹部６１ｅのいずれかに選択的に係り合うことが可能な凸部７１ｄ１を設けることにより前記ランバーサポート７の位置決めを行う節度機構Ｃを形成しているので、背板６１に対する設計変更を行うことなく、また、製造工数を増加させることなく、上下位置を変更可能にランバーサポート７を設けることができる。
【００５０】
さらに、前記背板６１が、前記孔６１ｄを多数形成した樹脂メッシュ領域Ｍと、前記凹部６１ｅを有する樹脂シェル領域Ｓとを備えているとともに、前記孔６１ｄ又は凹６１ｅ部と、前記凸部７１ｄ１とを利用して前記節度機構Ｃを形成しているので、前記樹脂シェル領域Ｓにより背板６１の強度を確保しつつ、前記樹脂メッシュ領域Ｍの孔６１ｄのみならず、前記樹脂シェル領域Ｓに形成した前記凹部６１ｅをも利用して、よりきめ細かくランバーサポート７の位置決めを行うことができる。
【００５１】
一方、前記ランバーサポート７と前記背板６１との間に、ランバーサポート７の移動方向を案内する案内機構Ｇを設けているので、ランバーサポート７の背板６１に対する移動の方向を案内機構Ｇにより案内し、ランバーサポート７の上下移動をスムーズに行うようにすることができる。
【００５２】
加えて、前記背板６１の前面に設けた上下案内部材７２と、この上下案内部材７２に係り合い得るようにランバーサポート７の背面に設けた被案内爪部７１ｃとを利用して前記案内機構Ｇを形成しているので、前段で述べたような案内機構Ｇを簡単な構成で実現できる。さらに本実施形態では、この上下案内部材７２を前記背板６１に設けた孔６１ｄを利用して背板６１に装着するようにしているので、着座者の腰部をより好適にサポートさせるべく、ランバーサポート７の取付位置を設定できる。加えて本実施形態では、上下案内部材７２を、背板６１の前面が最も前方に突出している迫出部分６１ｘを含みその上下に亘って装着しているので、ランバーサポート本体７１を上下移動させることにより、該ランバーサポート本体７１に、正面向き姿勢だけでなく、上向き姿勢及び下向き姿勢のいずれをも採らせることが可能になる。
【００５３】
そして、前記ランバーサポート７に弾性片７１ｄを背板６１方向に弾性変位可能に設け、その弾性片７１ｄに前記凸部７１ｄ１を前記複数の孔６１ｄ又は前記凹部６１ｅに係り合い可能に設けているので、上述したような節度機構Ｃを容易に実現することができる。
【００５４】
なお、本発明は以上に述べた実施形態に限られない。
【００５５】
以下、第１の変形例について述べる。
【００５６】
この態様の椅子は、以下の点において前述した実施形態に係る前記図１〜図１２を参照しつつ示した椅子と異なり、その他の点で前述した実施形態に係る椅子と同様の構成を有する。以下、前述した実施形態に係る椅子と構成が異なる点について述べる。なお、前述した実施形態に係る椅子に送るものに対応する部位及び機構には、同一の名称及び符号を付している。
【００５７】
この態様に係る椅子は、背板６１の両側縁に平行な箇所を有し、この箇所にランバーサポート７を装着するようにしている。また、前述した実施形態に係る椅子１００の上下案内部材７２及び被案内爪部７１ｃに替えて、図１３に示すように、背板６１の側端縁６１ｓと、ランバーサポート７の側部、より具体的にはランバーサポート本体７１のインナープレート７１ａの側部にこの背板６１の側端縁６１ｓと係わり合い可能に設けた折り返し片７１ａ２とを利用して案内機構Ｇを形成している。この折り返し片７１ａ２は、インナープレート７１ａの側部から後方に突出する接続部７１ａ２１と、この接続部７１ａ２１の突出端から背板６１の幅方向中央に向かい延伸する折り返し部７１ａ２２とを有する。そして、前記折り返し部７１ａ２２、前記接続部７１ａ２１、及びインナープレート７１ａの側部により区成される空間内に背板６１の側端縁６１ｓを位置させるようにしている。
【００５８】
また、前述した実施形態に係る椅子１００のランバーサポート７の背面に設けた弾性片７１ｄ及びこの弾性片７１ｄの先端近傍に設けた凸部７１ｄ１に替えて、前記図１３に示すように、前記ランバーサポート本体７１の背面の左右両端部及び幅方向中央部に設けた節度要素たる凸部７１ｅと、前記背板６１の孔６１ｄとを利用して節度機構Ｃを形成している。
【００５９】
このような構成であれば、前記接続部７１ａ２１の突出幅は、前記折り返し部７１ａ２２とインナープレート７１ａの側部との間の空間に背板６１の側端縁６１ｓを位置させることができればよい、すなわち背板６１の厚さ寸法以上であればよいので、背板６１とランバーサポート７との間に上下案内部材７２を設ける必要がある上述した第一実施形態の構成と比較して、背板６１とランバーサポート７との間の空間を少なくし、見栄えを整えることができる。
【００６０】
さらに、本発明の第２の変形例について以下に述べる。
【００６１】
この態様に係る椅子は、以下の点において前述した実施形態に係る前記図１〜図１２を参照しつつ示した椅子と異なり、その他の点で前述した実施形態に係る椅子と同様の構成を有する。以下、前述した実施形態に係る椅子と構成が異なる点について述べる。なお、前述した実施形態に係る椅子に送るものに対応する部位及び機構には、同一の名称及び符号を付している。
【００６２】
この態様に係る椅子も、背板６１の両側縁に平行な箇所を有し、この箇所にランバーサポート７を装着するようにしている。また、前述した実施形態に係る椅子１００の上下案内部材７２及び被案内爪部７１ｃに替えて、図１４及び図１５に示すように、に示すように、背板６１の側端縁６１ｓと、ランバーサポート７の側部、より具体的にはランバーサポート本体７１のインナープレート７１ａの側部にこの背板６１の側端縁６１ｓと係わり合い可能に設けた折り返し片７１ａ２とを利用して案内機構Ｇを形成している。この折り返し片７１ａ２は、インナープレート７１ａの側部から後方に突出する接続部７１ａ２１と、この接続部７１ａ２１の突出端から背板６１の幅方向中央に向かい延伸する折り返し部７１ａ２２とを有する。そして、前記折り返し部７１ａ２２、前記接続部７１ａ２１、及びインナープレート７１ａの側部により区成される空間内に背板６１の側端縁６１ｓを位置させるようにしている。
【００６３】
また、前述した実施形態に係る椅子１００のランバーサポート７の背面に設けた弾性片７１ｄ及びこの弾性片７１ｄの先端近傍に設けた凸部７１ｄ１に替えて、前記図１４及び図１５に示すように、前記折り返し片７１ａ２の内面、すなわち前記折り返し部７１ａ２２の内面に上下に離間させて２箇所に設けた凹凸要素たる凸部７１ａ２３と、前記凸部７１ａ２３間に形成した凹凸要素たる凹部７１ａ２４と、前記背板６１の孔６１ｄと、前記背板の樹脂シェル領域Ｓとを利用して節度機構Ｃを形成している。より具体的には、前記凸部７１ａ２３と隣接する２つの前記孔６１ｄのいずれかとを選択的に係り合わせるか、または前記凹部７１ａ２４と前記樹脂シェル領域Ｓのいずれかとを選択的に係り合わせることにより、ランバーサポート７の背板６１に対する位置決めを行うようにしている。
【００６４】
このような構成であれば、前記折り返し片７１ａ２の内面に前記節度機構たる凸部７１ａ２３及び凹部７１ａ２４を設けているので、前記凸部７１ａ２３と前記背板６１の孔６１ｄ、又は前記凹部７１ａ２４と前記背板６１の孔６１ｄとが係り合う節度機構Ｃを背面側から目視しやすく、ランバーサポート７の背板６１への装着操作を容易に行うことができる。
【００６５】
さらに、本発明の第３の変形例について以下に述べる。
【００６６】
この態様に係る椅子は、以下の点において前述した第２の変形例に係る椅子と異なり、その他の点で前述した第２の変形例に係る椅子と同様の構成を有する。
【００６７】
この態様に係る椅子では、前述した第２の変形例に係る節度機構Ｃに替えて、図１６に示すように、前記折り返し片７１ａ２の内面、すなわち前記折り返し部７１ａ２２の内面に設けた凹凸要素たる凸部７１ａ２５と、この凸部７１ａ２５の高さ方向中央部に形成した凹凸要素たる凹部７１ａ２６と、前記背板６１の薄肉領域ＭＭと、前記背板６１の厚肉領域ＳＳとを利用して節度機構Ｃを形成している。より具体的には、前記凸部７１ａ２５と前記薄肉領域ＭＭのいずれかとを選択的に係り合わせるか、または前記凹部７１ａ２６と前記厚肉領域ＳＳのいずれかとを選択的に係り合わせることにより、ランバーサポート７の背板６１に対する位置決めを行うようにしている。なお、前記薄肉領域ＭＭに孔を多数形成して樹脂シェル領域としてももちろんよい。
【００６８】
続いて、本発明の第４の変形例について述べる。
【００６９】
この態様に係る椅子は、以下の点において前述した実施形態に係る前記図１〜図１２を参照しつつ示した椅子と異なり、その他の点で前述した実施形態に係る椅子と同様の構成を有する。
【００７０】
この態様に係る椅子は、図１７に示すように、背板６１の左右両側縁部に、上下方向に延伸する左右１対のスリット６１ｆを設けている。また、前述した実施形態に係る椅子１００の上下案内部材７２及び被案内爪部７１ｃに替えて、図１８に示すように、前記背板６１のスリットと、ランバーサポート７の側部、より具体的にはランバーサポート本体７１のインナープレート７１ａの側部に前記スリット６１ｆと係わり合い可能に設けた折り返し片７１ａ２とを利用して案内機構Ｇを形成している。この折り返し片７１ａ２は、前記第１及び第２の変形例で述べたものとほぼ同様の構成を有する。すなわち、インナープレート７１ａの側部からスリット６１ｆを通過しつつ後方に突出する接続部７１ａ２１と、この接続部７１ａ２１の突出端から背板６１の幅方向中央に向かい延伸する折り返し部７１ａ２２とを有する。そして、前記折り返し部７１ａ２２、前記接続部７１ａ２１、及びインナープレート７１ａの側部により区成される空間内に背板６１を位置させるようにしている。
【００７１】
また、前述した実施形態に係る椅子１００のランバーサポート７の背面に設けた弾性片７１ｄ及びこの弾性片７１ｄの先端近傍に設けた凸部７１ｄ１に替えて、前記ランバーサポート本体７１の背面の左右両端部及び幅方向中央部に設けた節度要素たる凸部７１ｅと、前記背板６１の孔６１ｄとを利用して節度機構Ｃを形成している。
【００７２】
このような構成であっても、前記接続部７１ａ２１の突出幅は、前記折り返し部７１ａ２２とインナープレート７１ａの側部との間の空間に背板６１を位置させることができればよい、すなわち背板６１の厚さ寸法以上であればよいので、背板６１とランバーサポート７との間に上下案内部材７２を設ける必要がある上述した実施形態の構成と比較して、背板６１とランバーサポート７との間の空間を少なくし、見栄えを整えることができる。
【００７３】
続いて、本発明の第５の変形例について述べる。
【００７４】
この態様に係る椅子は、以下の点において前述した第４の変形例に係る椅子と異なり、その他の点で前記第４の変形例に係る椅子と同様の構成を有する。
【００７５】
この態様に係る椅子は、前述した第４の変形例に係る節度機構Ｃに替えて、図１９に示すように、前記折り返し片７１ａ２の内面、すなわち前記折り返し部７１ａ２２の内面に上下に離間させて２箇所に設けた凹凸要素たる凸部７１ａ２３と、前記凸部７１ａ２３間に形成した凹凸要素たる図示しない凹部と、前記背板６１の孔６１ｄと、前記背板の図示しない樹脂シェル領域とを利用して節度機構Ｃを形成している。すなわち、前述した第２の変形例に係る節度機構と同様の構成の節度機構を有する。
【００７６】
このような構成であっても、前述した第４の変形例と同様に、背板６１とランバーサポート７との間の空間を少なくし、見栄えを整えることができる。
【００７７】
さらに、本発明の第６の変形例として、図２０に示すように、上下方向に離間させて複数設けた幅方向に延伸する波形ベルト状の厚肉領域たる樹脂シェル領域Ｓと、これら樹脂シェル領域Ｓ間に形成した薄肉領域たる樹脂メッシュ領域Ｍとを背板６１に備えたものが挙げられる。このような構成であっても、樹脂シェル領域Ｓがベルト状をなすので、この樹脂シェル領域Ｓの延伸方向への作用に対する剛性は確保しつつ、背板６１を樹脂シェル領域Ｓの延伸方向と垂直な方向へ屈曲させやすくできる。
【００７８】
その他、本発明の趣旨を損ねない範囲で種々に変更してよい。
【図面の簡単な説明】
【００７９】
【図１】本発明の一実施形態に係る椅子を示す斜視図。
【図２】同実施形態に係る椅子を示す側面図。
【図３】同実施形態に係る椅子用背板を示す正面図。
【図４】同実施形態に係る椅子用背板を示す背面図。
【図５】図４及び図５におけるＡ−Ａ線断面図。
【図６】図４及び図５におけるＢ−Ｂ線断面図。
【図７】図４及び図５におけるＣ−Ｃ線断面図。
【図８】同実施形態に係る椅子用背板の一部を拡大して示す拡大図。
【図９】同実施形態に係る椅子の表装材を取り外した状態を示す斜視図。
【図１０】同実施形態に係る椅子のランバーサポートの取付態様を示す分解斜視図。
【図１１】同実施形態に係る椅子のランバーサポートの取付態様を示す要部横断面図。
【図１２】図１１におけるＸ−Ｘ断面図。
【図１３】本発明の第１の変形例に係る椅子のランバーサポートの取付態様を示す要部横断面図。
【図１４】本発明の第２の変形例に係る椅子のランバーサポートの取付態様を示す要部横断面図。
【図１５】図１４におけるＹ−Ｙ断面図。
【図１６】本発明の第３の変形例に係るランバーサポートの取付態様を示す要部縦断面図。
【図１７】本発明の第４の変形例に係る椅子用背板を示す正面図。
【図１８】同変形例に係る椅子のランバーサポートの取付態様を示す要部横断面図。
【図１９】本発明の第５の変形例に係る椅子のランバーサポートの取付態様を示す要部横断面図。
【図２０】本発明の第６の変形例に係る椅子用背板を示す背面図。
【符号の説明】
【００８０】
１００…椅子
６１…背板
６１ｄ…孔（凹凸要素）
６１ｅ…凹部（凹凸要素）
７…ランバーサポート
７１ｄ１、７１ｅ、７１ａ２３、７１ａ２５…凸部（節度要素）
７１ａ２４、７１ａ２６…凹部（節度要素）
Ｍ…樹脂メッシュ領域（薄肉領域）
Ｓ…樹脂シェル領域（厚肉領域、凹凸要素）
ＭＭ…薄肉領域（凹凸要素）
ＳＳ…厚肉領域（凹凸要素）
Ｃ…節度機構
【図１】
2010081974.tif 000003
【図２】
2010081974.tif 000004
【図３】
2010081974.tif 000005
【図４】
2010081974.tif 000006
【図５】
2010081974.tif 000007
【図６】
2010081974.tif 000008
【図７】
2010081974.tif 000009
【図８】
2010081974.tif 000010
【図９】
2010081974.tif 000011
【図１０】
2010081974.tif 000012
【図１１】
2010081974.tif 000013
【図１２】
2010081974.tif 000014
【図１３】
2010081974.tif 000015
【図１４】
2010081974.tif 000016
【図１５】
2010081974.tif 000017
【図１６】
2010081974.tif 000018
【図１７】
2010081974.tif 000019
【図１８】
2010081974.tif 000020
【図１９】
2010081974.tif 000021
【図２０】
2010081974.tif 000022